(57)【特許請求の範囲】
【請求項１】
前面に開口部と、天面に排気口を有した本体ケースと、前記開口部と前記排気口とを連通する前記本体ケース内の通風路に設けた送風手段と、この送風手段の上流側に設けた空気清浄手段と、前記本体ケースの前記前面の開口部を前方から覆うと共に、前記本体ケースとの間に前記開口部に連通する吸気口を形成する前面化粧板と、この前面化粧板を上下前後動させる駆動手段とから構成し、前記吸気口は、前記本体ケースの少なくとも１側面に設けた第１の吸気口と、前記本体ケースの前面下部に設けた第２の吸気口と、前記本体ケースの前面上部に設けた第３の吸気口とから形成し、前記前面化粧板には、前記駆動手段によって前記前面化粧板が最上点に移動した場合に、前記第３の吸気口の開口面積を低減させ、前記第２の吸気口からの吸い込み風量を増加させる風量調整部材を設け、前記風量調整部材は、前記前面化粧板の上部に設けられ、前記駆動手段によって前記前面化粧板が最上点に移動した場合に、前記開口部の上端部近傍で前記空気清浄手段と前記前面化粧板との間に少なくとも一部が位置する構成とした空気清浄装置。
【請求項２】
前記風量調整部材は、天面に傾斜面を形成することを特徴とする請求項１に記載の空気清浄装置。
【請求項３】
前面に開口部と、天面に排気口を有した本体ケースと、前記開口部と前記排気口とを連通する前記本体ケース内の通風路に設けた送風手段と、この送風手段の上流側に設けた空気清浄手段と、前記本体ケースの前記前面の開口部を前方から覆うと共に、前記本体ケースとの間に前記開口部に連通する吸気口を形成する前面化粧板と、この前面化粧板を上下前後動させる駆動手段とから構成し、前記吸気口は、前記本体ケースの少なくとも１側面に設けた第１の吸気口と、前記本体ケースの前面下部に設けた第２の吸気口と、前記本体ケースの前面上部に設けた第３の吸気口とから形成し、前記前面化粧板には、前記駆動手段によって前記前面化粧板が最上点に移動した場合に、前記第３の吸気口の開口面積を低減させ、前記第２の吸気口からの吸い込み風量を増加させる風量調整部材を設け、前記前面化粧板は、前記本体ケースに着脱可能に設けられ、前記風量調整部材には、手掛かり形状を設けたことを特徴とする空気清浄装置。
【発明の詳細な説明】
【技術分野】
【０００１】
本発明は、空気を浄化することのできる空気清浄装置に関する。
【背景技術】
【０００２】
従来、この種の空気清浄装置の構成は以下のようになっていた。
【０００３】
すなわち、前面に開口部と天面に排気口を有した本体ケースと、前記開口部と前記排気口とを連通する前記本体ケース内の通風路に設けた送風手段と、この送風手段の上流側に設けた空気清浄手段と、前記本体ケースの前記前面の開口部を前方から覆うと共に前記本体ケースとの間に前記開口部に連通する吸気口を形成する前面化粧板と、この前面化粧板を上下前後動させる駆動手段とからなる構成となっていた。
【０００４】
例えば、これに類似する先行文献は下記特許文献１に記載されている。
【先行技術文献】
【特許文献】
【０００５】
【特許文献１】特開２０１１−０１７４９２号公報
【発明の概要】
【発明が解決しようとする課題】
【０００６】
上記従来例における課題は、床上近傍の空気の吸い込み風量を更に増加させることであった。
【０００７】
すなわち、従来の物においては、前面化粧板を本体ケースにおける前方、および上方へ移動させ、前面化粧板の下方となる本体ケースの前面下部の開口を広げることによって、床上近傍の空気の吸い込み風量を増加させていた。
【０００８】
しかし、前面化粧板を本体ケースにおける前方、および上方へ移動させた場合には、前面化粧板の下方となる本体ケースの前面下部の開口が広がると共に、前面化粧板の側面、および前面化粧板の上部にも開口が形成される。つまり、これら前面化粧板の下方だけでなく、前面化粧板の側面、および前面化粧板の上部の開口からも吸い込まれるので、前面化粧板の側面、および前面化粧板の上部の開口から吸い込まれる風量分は、床上近傍の空気の吸い込み風量が増加しないものであった。
【０００９】
そこで本発明は、床上近傍の空気の吸い込み風量を更に増加させることを目的とするものである。
【課題を解決するための手段】
【００１０】
そしてこの目的を達成するために本発明は、前面に開口部と天面に排気口を有した本体ケースと、前記開口部と前記排気口とを連通する前記本体ケース内の通風路に設けた送風手段と、この送風手段の上流側に設けた空気清浄手段と、前記本体ケースの前記前面の開口部を前方から覆うと共に前記本体ケースとの間に前記開口部に連通する吸気口を形成する前面化粧板と、この前面化粧板を上下前後動させる駆動手段とから構成し、前記吸気口は、前記本体ケースの少なくとも１側面に設けた第１の吸気口と、前記本体ケースの前面下部に設けた第２の吸気口と、前記本体ケースの前面上部に設けた第３の吸気口とから形成し、前記前面化粧板には、前記駆動手段によって前記前面化粧板が最上点に移動した場合に、前記第３の吸気口の開口面積を低減させ、前記第２の吸気口からの吸い込み風量を更に増加させる風量調整部材を設け、前記風量調整部材は、前記前面化粧板の上部に設けられ、前記駆動手段によって前記前面化粧板が最上点に移動した場合に、前記開口部の上端部近傍で前記空気清浄手段と前記前面化粧板との間に少なくとも一部が位置する構成とした。
【００１１】
これにより、初期の目的を達成するものである。
【発明の効果】
【００１２】
以上のように本発明は、前面に開口部と天面に排気口を有した本体ケースと、前記開口部と前記排気口とを連通する前記本体ケース内の通風路に設けた送風手段と、この送風手段の上流側に設けた空気清浄手段と、前記本体ケースの前記前面の開口部を前方から覆うと共に前記本体ケースとの間に前記開口部に連通する吸気口を形成する前面化粧板と、この前面化粧板を上下前後動させる駆動手段とから構成し、前記吸気口は、前記本体ケースの少なくとも１側面に設けた第１の吸気口と、前記本体ケースの前面下部に設けた第２の吸気口と、前記本体ケースの前面上部に設けた第３の吸気口とから形成し、前記前面化粧板には、前記駆動手段によって前記前面化粧板が最上点に移動した場合に、前記第３の吸気口の開口面積を低減させ前記第２の吸気口からの吸い込み風量を増加させる風量調整部材を設け、前記風量調整部材は、前記前面化粧板の上部に設けられ、前記駆動手段によって前記前面化粧板が最上点に移動した場合に、前記開口部の上端部近傍で前記空気清浄手段と前記前面化粧板との間に少なくとも一部が位置するものである。
【００１３】
すなわち、前記駆動手段によって前記前面化粧板が最上点に移動した場合に、前記第３の吸気口の開口面積を低減させ、前記第２の吸気口からの吸い込み風量を増加させる風量調整部材を設けたので、床上近傍の空気の吸込み量を更に増やすことができるものである。
【図面の簡単な説明】
【００１４】
【図１】本発明の実施の形態１の空気清浄装置の概略図
【図２】同空気清浄装置の概略断面図
【図３】同空気清浄装置の前面化粧板の開口状態図
【図４】同空気清浄装置の傾斜面を備えた風量調整部材の概略図
【図５】同空気清浄装置の手掛かり形状を備えた風量調整部材の概略図
【発明を実施するための形態】
【００１５】
以下、本実施形態を添付図面を用いて説明する。
【００１６】
（実施の形態１）
図１から３に示すように、本実施形態の空気清浄装置は、吸気口１と排気口２を有する本体ケース３と、この本体ケース３内に設けた空気清浄手段４と、この空気清浄手段４の下流側に加湿手段５とを備えている。
【００１７】
吸気口１は、本体ケース３の両側面に設けた第１の吸気口１ａと、本体ケース３の前面下部に設けた第２の吸気口１ｂと、本体ケース３の前面上部に設けた第３の吸気口１ｃから形成され、排気口２は、本体ケース３の天面に設けている。
【００１８】
空気清浄手段４は縦長箱形状の空気清浄フィルター４ａで、濾材が蛇腹形状に折られたものであり、第１の吸気口１ａ、第２の吸気口１ｂ、および第３の吸気口１ｃの風路風下側で、前面化粧板７に対向する位置に設けられている。
【００１９】
加湿手段５は、空気清浄手段４の風路風下側に設けられており、一定量の水が溜まった略椀形状の水槽５ａと、この水槽５ａの水に周縁部の一部が常に浸漬した円板状の加湿フィルター部５ｂと、この加湿フィルター部５ｂを固定する略円環形状の加湿フィルター枠部５ｃと、この加湿フィルター枠部５ｃを回転させる回転手段とから形成されている。
【００２０】
このような構成における空気清浄および、加湿動作について説明する。
【００２１】
水タンク５ｄより水槽５ａに常時一定の水位となるように水が供給され、この水に加湿手段の加湿フィルター部５ｂの一部が常時浸かった状態となる。ここで回転手段によって加湿フィルター枠部５ｃを回転させることで、加湿フィルター部５ｂが回転し、この加湿フィルター部５ｂに保持された水が、頂上付近で加湿フィルター部５ｂの中心方向に移動し、加湿フィルター部５ｂ全体を湿らせる。つまり回転手段により加湿フィルター枠部５ｃを回転させ続けることで加湿フィルター部５ｂは常時水を保持した状態に保たれる。
【００２２】
ここで、送風手段６を動かすことにより、第１の吸気口１ａ、第２の吸気口１ｂ、および第３の吸気口１ｃから本体ケース３内に空気が吸い込まれ、その後空気は本体ケース３内に備えられた空気清浄フィルター４ａと水を保持した状態の加湿フィルター部５ｂとを通過して加湿清浄空気となり、排気口２から室内に排出される。
【００２３】
本実施形態における特徴は、前面化粧板７が最上点に移動した場合に、前面化粧板７に設けた風量調整部材８により第３の吸気口１ｃの開口面積を低減させ、第２の吸気口１ｂからの吸い込み風量を増加させる点にある。
【００２４】
具体的には、床上近傍の空気の吸い込み風量を更に増加させるために、本体ケース３の前面に所定の距離を有して設けた前面化粧板７を上方に移動させることにより、第２の吸気口１ｂの開口面積を拡大させるのであるが、前面化粧板７が最上点に移動した場合に、第１の吸気口１ａの開口面積は中開口状態、第２の吸気口１ｂの開口面積は大開口状態、さらに、第３の吸気口１ｃの開口面積は、前面化粧板７と空気清浄手段４との間に位置するように設けた風量調整部材８によって本体ケース３との通風路が塞がれることにより極小開口状態となるものである。
【００２５】
このように、前面化粧板７が最上点に位置する場合、前面化粧板７に設けた風量調整部材８により、第３の吸気口１ｃの開口面積が極小化されることで、相対的に第２の吸気口１ｂから吸い込まれる風量が増大し、床上近傍の空気の吸い込み風量を更に増加させることができる。
【００２６】
また、図４に示すように、前面化粧板７に設けた風量調整部材８の天面に、前面化粧板７の内側面を頂点に下り方向の傾斜面９を設けたものである。
【００２７】
このように、風量調整部材８の天面に傾斜面を設けることで、第３の吸気口１ｃを通過する吸い込み風によるホコリやゴミの付着を防ぐことができる。
【００２８】
また、図５に示すように、前面化粧板７に設けた風量調整部材８の一部に手掛かり形状１０を設けたものである。
【００２９】
このように、風量調整部材８に手掛かり形状１０を設けることで、空気清浄手段４のお手入れ時に前面化粧板７を取り外して仮置きする際や、再度取り付ける際に、手掛かり形状１０を掴んで、容易に運搬することができる。
【産業上の利用可能性】
【００３０】
以上のように本発明は、吸気口と排気口を有する本体ケースと、この本体ケース内に設けた空気清浄手段と、前記吸気口から室内の空気を前記空気清浄手段を介して前記本体ケース内に吸気し、前記排気口より室内に排気する風路に送風手段を備え、前記吸気口は前記本体ケースの少なくとも１側面に設けた第１の吸気口と、本体ケースの前面下部に設けた第２の吸気口と、本体ケースの前面上部に設けた第３の吸気口とから形成し、前記本体ケースの前面に設けた前面化粧板には、駆動手段によって前記前面化粧板が最上点に移動した場合に、前記第３の吸気口の開口面積を低減させ、前記第２の吸気口からの吸い込み風量を増加させる風量調整部材を設けた構成としたものである。
【００３１】
すなわち、駆動手段によって前面化粧板が最上点に移動した場合に、第３の吸気口の開口面積を低減させ、第２の吸気口からの吸い込み風量を増加させる風量調整部材を設けたことで、床上近傍の空気の吸込み量を更に増やすことができるものである。
【００３２】
従って、家庭用や事務所用などの、加湿機能付空気清浄装置として活用が期待されるものである。
【符号の説明】
【００３３】
１    吸気口
１ａ  第１の吸気口
１ｂ  第２の吸気口
１ｃ  第３の吸気口
２    排気口
３    本体ケース
４    空気清浄手段
４ａ  空気清浄フィルター
５    加湿手段
５ａ  水槽
５ｂ  加湿フィルター部
５ｃ  加湿フィルター枠部
５ｄ  水タンク
６    送風手段
７    前面化粧板
８    風量調整部材
９    傾斜面
１０  手掛かり形状
【図１】
0005998353.tif 000002
【図２】
0005998353.tif 000003
【図３】
0005998353.tif 000004
【図４】
0005998353.tif 000005
【図５】
0005998353.tif 000006